(57)【特許請求の範囲】
【請求項１】
樹脂成形品に空気を吹き付けて冷却しつつ、金型から前記樹脂成形品を離型する離型工程を備えた射出成形に用いられる射出成形装置であって、
前記樹脂成形品に除電可能な空気を吹き付ける空気吹付手段と、前記金型から前記樹脂成形品を離型する手段と、前記樹脂成形品を把持して前記金型から外部に取り出す取出機を備えており、
前記空気吹付手段は、前記金型を型開きするのとほぼ同時に前記樹脂成形品への前記空気の吹付を開始するとともに、前記離型工程の前記樹脂成形品に前記空気を吹き付ける第１の空気吹付手段と、前記取出機の取出チャック部の当該取出チャック部が前記樹脂成形品を把持する際に前記樹脂成形品に対向する位置に設けられ、前記把持された前記樹脂成形品に前記空気を吹き付ける第２の空気吹付手段とを備えることを特徴とする射出成形装置。
【請求項２】
射出成形において金型から樹脂成形品を離型し、取り出す方法であって、
前記金型の型開きを行い、この型開きとほぼ同時に第１の空気吹付手段により、前記樹脂成形品に対して除電可能な空気の吹き付けを開始する工程と、
型開き後に、前記金型を構成する第１の金型と第２の金型との間に取出機の取出チャック部を位置させる工程と、
前記第１の空気吹付手段から前記空気を吹き付けて冷却しつつ、前記金型から前記樹脂成形品を離型する工程と、
前記取出チャック部の当該取出チャック部が前記樹脂成形品を把持する際に前記樹脂成形品に対向する位置に設けられた第２の空気吹付手段から前記樹脂成形品に前記空気を吹き付けて冷却しつつ、前記取出チャック部で前記樹脂成形品を把持し、前記金型から前記樹脂成形品を外部に取出す工程と、
を備えていることを特徴とする樹脂成形品の離型・取出方法。
【請求項３】
前記射出成形は、液状樹脂射出成形であり、前記樹脂成形品は、シリコーンからなることを特徴とする請求項２に記載の樹脂成形品の離型・取出方法。
【請求項４】
前記樹脂成形品が製品部の外周部にゲート部とオーバーフロー部とを備えていることを特徴とする請求項２または請求項３に記載の樹脂成形品の離型・取出方法。
【請求項５】
前記樹脂成形品は、透明光学素子であることを特徴とする請求項２ないし請求項４のいずれかに記載の樹脂成形品の離型・取出方法。
【請求項６】
樹脂成形品の製造方法であって、
液状樹脂射出成形法により第１の金型と第２の金型からなる金型内に樹脂成形品を成形した後に型開きし、この型開きとほぼ同時に第１の空気吹付手段により、前記樹脂成形品に対して除電可能な空気の吹き付けを開始する工程と、
型開き後に、前記第１の金型と前記第２の金型との間に取出機の取出チャック部を位置させる工程と、
前記第１の空気吹付手段から前記空気を吹き付けて冷却しつつ、前記金型から前記樹脂成形品を離型する工程と、
前記取出チャック部の当該取出チャック部が前記樹脂成形品を把持する際に前記樹脂成形品に対向する位置に設けられた第２の空気吹付手段から前記樹脂成形品に前記空気を吹き付けて冷却しつつ、前記取出チャック部で前記樹脂成形品を把持し、前記樹脂成形品を前記金型から外部に取り出す工程と、
を備えていることを特徴とする樹脂成形品の製造方法。
【発明の詳細な説明】
【技術分野】
【０００１】
本発明は、射出成形において金型から樹脂成形品を離型し取り出す方法、樹脂成形品の製造方法および射出成形装置に関する。
【背景技術】
【０００２】
本出願人は、特願２００６−７３６２５号で、透明光学素子などの熱硬化性樹脂からなる樹脂成形品を液状樹脂射出成形法（ＬＩＭ法）により成形する際に、製品部に気泡が残らないように、金型にオーバーフローキャッチャ部を設けることを提案している。この特許出願に係る発明を用いて得られた樹脂成形品は、製品部の外周部にゲート部のほかに、前記オーバーフローキャッチャ部で形成されるオーバーフロー部を備えている。
【０００３】
しかし、成形に用いるシリコーンなどの熱硬化性樹脂は、粘度が低く流動性が高いためにバリが発生し易く、突出ピンにより突き出しだけでは、樹脂成形品を金型から離型し難い。また、小さい光学レンズなどの製品部を複数個取りで成形する場合には、さらに離型し難いうえに、離型時に樹脂成形品のゲート部などが破断し、一部が金型に残ってしまう場合もある。また、樹脂成形品の製品部にオーバーフロー部を備えている場合には、さらに離型し難くなる。このため、金型から樹脂成形品を円滑に離型することができる技術が望まれている。
【０００４】
一方、例えば、特許文献１には、成形で生じるバリやガスを金型内から除去するための空気吹出孔を、金型表面に設けた熱硬化性材料用の成形金型および金型クリーニング方法を開示している。
しかし、特許文献１に記載の技術は、金型温度が下がり難いエアーブローの技術を開示しているにすぎない。なお、特許文献１には、金型キャビティから近距離に設けた孔（空気吹出孔）の角度を適当に設計することによって、ノックアウトピン跡が付けられない成形品の取り出しをエアーブローによって行うことができる（特許文献１の段落［0010］参照）と記載されているが、これはエアーブローによって成形品を吹き飛ばすものであり、ピンにより成形品を突き出すものではない。
【０００５】
【特許文献１】特開平６−３１７４５号公報
【発明の開示】
【発明が解決しようとする課題】
【０００６】
本発明は、前記事情に鑑みて為されたもので、射出成形において金型から樹脂成形品を円滑に離型することができる樹脂成形品の離型・取出方法、製造方法および射出成形装置を提供することを目的とする。
【課題を解決するための手段】
【０００７】
前記目的を達成するために、請求項１に記載の射出成形装置は、樹脂成形品に空気を吹き付けて冷却しつつ、金型から前記樹脂成形品を離型する離型工程を備えた射出成形に用いられる射出成形装置であって、前記樹脂成形品に除電可能な空気を吹き付ける空気吹付手段と、前記金型から前記樹脂成形品を離型する手段と、前記樹脂成形品を把持して前記金型から外部に取り出す取出機を備えており、前記空気吹付手段は、前記金型を型開きするのとほぼ同時に前記樹脂成形品への前記空気の吹付を開始するとともに、前記離型工程の前記樹脂成形品に前記空気を吹き付ける第１の空気吹付手段と、前記取出機の取出チャック部の当該取出チャック部が前記樹脂成形品を把持する際に前記樹脂成形品に対向する位置に設けられ、前記把持された前記樹脂成形品に前記空気を吹き付ける第２の空気吹付手段とを備えることを特徴とする。
【０００８】
この請求項１に記載された発明においては、取出機の取出チャック部に設けられた空気吹付手段により樹脂成形品に空気が吹き付けられて樹脂成形品が冷却（急冷）され、これにより樹脂成形品が急速に収縮し、このような状態で樹脂成形品が金型から離型されるので、樹脂成形品が金型から円滑に離型される。取出機に空気吹付手段が設けられているので、構造をコンパクトにすることができるとともに、樹脂成形品の近くから空気を吹き付けることができるため、効率的に吹き付けることができる。また、除電可能な空気を用いるので、金型から樹脂成形品を取り出す取出機に樹脂成形品が静電気により付着して、取出機から樹脂成形品が離れないということを防止できる。また、帯電した樹脂成形品にゴミやほこりが付着するのを防止できる。樹脂成形品は成形時に金型内で相当帯電するので、本発明は有効である。
また、請求項２に記載された樹脂成形品の離型・取出方法は、射出成形において金型から樹脂成形品を離型し、取り出す方法であって、前記金型の型開きを行い、この型開きとほぼ同時に第１の空気吹付手段により、前記樹脂成形品に対して除電可能な空気の吹き付けを開始する工程と、型開き後に、前記金型を構成する第１の金型と第２の金型との間に取出機の取出チャック部を位置させる工程と、前記第１の空気吹付手段から前記空気を吹き付けて冷却しつつ、前記金型から前記樹脂成形品を離型する工程と、前記取出チャック部の当該取出チャック部が前記樹脂成形品を把持する際に前記樹脂成形品に対向する位置に設けられた第２の空気吹付手段から前記樹脂成形品に前記空気を吹き付けて冷却しつつ、前記取出チャック部で前記樹脂成形品を把持し、前記金型から前記樹脂成形品を外部に取出す工程とを備えていることを特徴とする。
【０００９】
また、請求項３に記載された樹脂成形品の離型・取出方法は、請求項２に記載された発明において、前記射出成形は、液状樹脂射出成形であり、前記樹脂成形品は、シリコーンからなることを特徴とする。
【００１０】
シリコーンは粘度が低く流動性が高いためにバリが発生し易く、樹脂成形品が金型から離型し難いので、このシリコーンを用いた射出成形において、本発明の離型方法は特に有効である。
【００１１】
また、請求項４に記載された樹脂成形品の離型・取出方法は、請求項２または請求項３に記載された発明において、前記樹脂成形品が製品部の外周部にゲート部とオーバーフロー部とを備えていることを特徴とする。
【００１２】
樹脂成形品の製品部にゲート部のほかに、さらにオーバーフロー部を備えている場合には、樹脂成形品を金型から離型するのが難しく、破断する虞があるが、このような場合に本発明の離型方法は効果的である。
【００１３】
また、請求項５に記載された樹脂成形品の離型・取出方法は、請求項２ないし請求項４のいずれかに記載の発明において、前記樹脂成形品は、透明光学素子であることを特徴とする。
【００１４】
光学レンズなどの透明光学素子は製品部が小さいうえ、複数個取りすることが多いので、樹脂成形品を金型から離型するのが難しいが、本発明の離型方法を用いると円滑に離型でき、金型内への樹脂成形品の一部残りを抑制することができる。
【００１６】
請求項６に記載された樹脂成形品の製造方法は、樹脂成形品の製造方法であって、
液状樹脂射出成形法により第１の金型と第２の金型からなる金型内に樹脂成形品を成形した後に型開きし、この型開きとほぼ同時に第１の空気吹付手段により、前記樹脂成形品に対して除電可能な空気の吹き付けを開始する工程と、型開き後に、前記第１の金型と前記第２の金型との間に取出機の取出チャック部を位置させる工程と、前記第１の空気吹付手段から前記空気を吹き付けて冷却しつつ、前記金型から前記樹脂成形品を離型する工程と、前記取出チャック部の当該取出チャック部が前記樹脂成形品を把持する際に前記樹脂成形品に対向する位置に設けられた第２の空気吹付手段から前記樹脂成形品に前記空気を吹き付けて冷却しつつ、前記取出チャック部で前記樹脂成形品を把持し、前記樹脂成形品を前記金型から外部に取り出す工程とを備えていることを特徴とする。
【発明の効果】
【００２３】
本発明によれば、樹脂成形品に空気を吹き付けて樹脂成形品を冷却（急冷）することにより、樹脂成形品を急速に収縮させることができ、このような状態で樹脂成形品を金型から離型することができるので、樹脂成形品を金型から円滑に離型することができる。
【発明を実施するための最良の形態】
【００２４】
以下、図面を参照しながら、本発明の実施形態について説明する。
まず、本実施の形態に係る樹脂成形品を説明する。
図１ないし図４に示すように、この樹脂成形品１は、本出願人が特願２００６−７３６２５号で提案した金型を用いて液状樹脂射出成形法（ＬＩＭ法）により成形して得られるものでもある。すなわち、シリコーン（Ｓｉ）などの熱硬化性樹脂から液状樹脂射出成形法により製品部（本例では、透明光学素子としてレンズ(フルネルレンズ)）２を成形する際に、金型にオーバーフローキャッチャ部を設けて製品部２内に気泡が残るのを防止している。したがって、前記特許出願に係る発明を用いて得られた樹脂成形品１は、製品部２の外周部にゲート部３のほかに、前記オーバーフローキャッチャ部で形成されるオーバーフロー部４を備えている。ゲート部３にはランナー部５が連結されており、このランナー部５は樹脂の流入通路により形成されたスプルー部６に連結されている。この樹脂成形品１は、1回の成形で8個の製品を得る8個取りのもので、ほぼ直線状に連結されたランナー部５、ゲート部３、製品部２およびオーバーフロー部４がこの順にほぼ直線状に連結され、平面視において、これらが概略切頭円錐状のスプルー部６を中心部に、放射状に配置されている。
【００２５】
次に、本実施の形態に係る射出成形装置を説明する。
図５ないし図９は、本実施の形態に係る射出成形装置を示す図であって、図５は金型部の側面図であり、図６は図１のＡ−Ａ´線矢視図であり、図７は図１のＢ−Ｂ´線矢視図であり、図８は取出機の取出チャック部の正面図であり、図９は取出機の取出チャック部の側面図である。
【００２６】
図５に示すように、この射出成形装置の金型１０は、固定側金型１１と可動側金型（金型）１２とを備えている。図６に示すように、固定側金型１１の固定側型板（キャビティプレート）１３には、図１の樹脂成形品１を形成するための形成面１４，１４が左右２つ形成され、また可動側金型１２の可動側型板（コアプレート）１５にも、同様に左右２つ形成されており、これにより１回の成形作業で２つの樹脂成形品１を成形するようになっている。図１の樹脂成形品１は、スプルー部６を中心とした円周上に８個の製品部２を備えているものであるから、固定側型板１３の樹脂成形品１の各形成面１４は、円周上に８つのキャビティ形成面を備えている。同様に、可動側型板１５の樹脂成形品１の各形成面も円周上に８つのキャビティ形成面を備えている。
【００２７】
図５に示すように、可動側金型１２には、突出ピン（図示せず）を固定されたエジェクタプレート１６が設けられており、樹脂成形品１の離型工程において、このエジェクタプレート１６を移動させることにより、突出ピンを突き出して可動側金型１２の可動側型板１５から樹脂成形品１を押し出すようになっている。
【００２８】
一方、固定側金型１１の上側には、２つの空気吹出ノズル（空気吹付手段）２１，２１が左右に間隔をおいて設置されている。これらの空気吹出ノズル２１，２１はそれぞれ、配管２２，２２により除電部２３に接続され、この除電部２３はフィルターを介してコンプレッサなどの空気供給源に接続されている。空気供給源から供給された空気は、フィルターでクリーンな空気とされ、また除電部２３で除電可能な空気（イオンを含んだ空気）とされる。
【００２９】
左右の空気吹出ノズル２１，２１はそれぞれ、可動側金型１２の可動側型板１５の左右の樹脂成形品１の各形成面をほぼ中心に吹き付けている。すなわち、左側の空気吹出ノズル２１は、可動側型板１５の左側の樹脂成形品１の形成面を中心にして、可動側型板１５の左側に吹き付け、右側の空気吹出ノズル２１は、可動側型板１５の右側の樹脂成形品１の形成面を中心にして、可動側型板１５の右側に吹き付けており、そして吹付範囲は左右方向の中央部で重なっている。左右の空気吹出ノズル２１，２１の上下方向の吹出範囲は、図１においてＣ−Ｃ´の範囲であり、これは可動側型板１４のほぼ上下に渡る範囲である。
【００３０】
また、固定側金型１１の上方には、２つのカメラ３１，３１が左右に間隔をおいて設置されている。これらのカメラ３１，３１は、画像処理装置に接続されている。各カメラ３１，３１は斜め下方に向けられており、左側のカメラ３１が可動側金型１２の可動側型板１５の右側の樹脂成形品１の形成面を撮影し、右側のカメラ３１が可動側型板１５の左側の樹脂成形品１の形成面を撮影するようになっている。
【００３１】
また、この射出成形装置は、樹脂成形品１を可動側金型１２から外部に取り出す取出機４１を備えている。取出機４１は、アーム部４２と、このアーム部４２の下端部に設けられた取出ヘッド４３とを備えている。アーム部４２は、上下移動可能および水平移動可能となっており、取出チャック部４３を固定側金型１１と可動側金型１２との間に下降させ、また可動側金型１２に接近および離間させるようになっている。
【００３２】
図６ないし図９に示すように、取出ヘッド４３には、２つの取出チャック部４４，４４が左右に間隔をおいて設けられている。これらの取出チャック部４４，４４にはそれぞれ、チャック４５，４５が設けられており、左右のチャック４５，４５によりそれぞれ、可動側金型１２から左右の樹脂成形品１，１の各スプルー部６，６を把持して取り出すようになっている。
また、左右の取出チャック部４４，４４にはそれぞれ、複数個（本例では上下２個）の空気吹出孔（空気吹付手段）４６，４６が設けられている。これらの空気吹出孔４６，４６はそれぞれ、空気吹出ノズル２１，２１の場合と同様に、配管４７，４７により除電部およびフィルターを介して空気供給源に接続されている。そして、空気吹出孔４６，４６に供給される空気は、除電可能でかつクリーンな空気となっている。
【００３３】
次に、図５を参照しつつ、この射出成形機を用いた射出成形（射出成形方法）を、樹脂成形品の離型方法を中心に説明する。
まず、シリコーンなどの熱硬化性樹脂を用いて、液状樹脂射出成形法により金型１０内に樹脂脂成形品１を成形し、型開きする。
【００３４】
次いで、型開きとほぼ同時に、左右の空気吹出ノズル２１，２１から空気を吹き出し始める。
次いで、可動側金型１１のエジェクタプレート１６を移動させて、突出ピンを突き出し、可動側金型１２の可動側型板１５から樹脂成形品１を押し出す。
【００３５】
そうすると、左右の空気吹出ノズル２１，２１によりそれぞれ、可動側型板１５の左右の樹脂成形品１，１に空気が吹き付けられて各樹脂成形品１，１が冷却（急冷）され、これにより各樹脂成形品１，１が急速に収縮し、このような状態の中で各樹脂成形品１，１が可動側型板１５から突出ピンにより突き出される。このため、各樹脂成形品１，１が可動側型板１５から円滑に離型される。
この場合、空気吹出ノズル２１，２１により吹き付けられた空気により樹脂成形品１，１が収縮して生じる樹脂成形品１，１と可動側型板１５との間の隙間に、空気がより侵入するように空気を吹き付けるようにすることが好ましい。このようにすると、樹脂成形品１，１が前記隙間側からも吹き付けられる空気により冷却されるので、樹脂成形品１，１が効率よく冷却される。本例では、空気吹出ノズル２１，２１の位置を、樹脂成形品１，１に対して斜め上方に配置し、樹脂成形品１，１に斜めから空気を吹き付けるようにして、前記隙間に空気が侵入し易くしている。
なお、空気吹出ノズル２１，２１により吹き付けられた空気で、可動側型板１５のバリの除去も行われる。
【００３６】
次いで、突出ピンの突き出しが完了したら、カメラ３１，３１による可動側金型１２の可動側型板１５の画像を画像処理装置で分析し、固定側金型１１の固定側型板１３に樹脂成形品１の製品部２やオーバーフロー部４などが残っていないか（成形品の部分残りがあるか）を検査する。
もし、残っていた場合には、取出機４１のスタート指令を出さず、成形機のサイクルオーバーエラーが発報される。
残っていない場合には、取出機４１の取出ヘッド４３を下降させて、固定側金型１１と可動側金型１２との間に位置させ、各取出チャック部４４，４４を各樹脂成形品１に対峙させる。
なお、この場合、空気吹出ノズル２１，２１からの空気の吹き出しは、突出ピンの突き出しの完了時には停止するようにしているが、各樹脂成形品１，１の離型状況に合わせて、すなわち各樹脂成形品１，１が円滑に離型しているかを確認して、この吹出空気の吹出時間（停止のタイミング）、吹出量を適宜設定することができる。
【００３７】
次いで、取出ヘッド４３を前進させて（可動側金型１２に接近させて）、各取出チャック部４４，４４の左右のチャック４５，４５で各樹脂成形品１，１の各スプルー部６，６を把持する（図８および図９参照）。
次いで、把持後直ぐに、各取出チャック部４４，４４の空気吹出孔４６，４６から空気を吹き出し始める。空気吹出孔４６，４６から空気を樹脂成形品１，１に吹き付けることにより、帯電された各樹脂成形品１，１が吹き付けられた空気中のイオンにより中和されて除電されるとともに、冷却される。
次いで、取出ヘッド４３を後退させ（可動側金型１２から離間させ）、その後上昇させて、固定側金型１１と可動側金型１２との間から外部に位置させる。
【００３８】
次いで、カメラ３１，３１による画像を画像処理装置で分析し、可動側型板１５に樹脂成形品１の製品部２やオーバーフロー部４などが残っていないか（成形品の部分残りがあるか）を検査する。
もし、残っていた場合には、型閉めのスタート指令を出さず、成形機のサイクルオーバーエラーが発報される。
残っていない場合には、型閉めを行う。
なお、取出機４１により金型１０から取り出された樹脂成形品１は、取出機４１により次工程の加工装置に搬出される。
この場合、空気吹出孔４６，４６からの空気の吹き出しは、次工程の加工装置に搬出されるまでには停止するようにしているが、各樹脂成形品１，１の除電状況に合わせて、すなわち各樹脂成形品１，１が除電されて取出機４１のチャック４５，４５から容易に離れるのを確認して、この吹出空気の吹出時間（停止のタイミング）、吹出量を適宜設定することができる。
【００３９】
以上のように構成された射出成形装置および樹脂成形品の離型方法にあっては、空気吹出ノズル２１，２１により樹脂成形品１，１に空気を吹き付けて樹脂成形品１，１を冷却（急冷）することにより、樹脂成形品１，１を急速に収縮することができるので、このような状態で突出ピンにより樹脂成形品１，１を可動側金型１２の可動側型板１５から突き出すことができるため、樹脂成形品を可動側型板１５から円滑に離型することができる。
したがって、シリコーンなどの粘度が低く流動性が高いためにバリが発生し易い熱硬化性樹脂を用いて液状樹脂射出成形法により樹脂成形品１を成形する場合でも、樹脂成形品１を可動側型板１５から円滑に離型することができる。さらに、樹脂成形品１のように製品部２にゲート部３のほかに、オーバーフロー部４を備えている場合でも、可動側型板１５から円滑に離型することができ、ーバーフロー部４やゲート部３が破断するのを抑制することができる。さらには、樹脂成形品１の製品部２が光学レンズなどの透明光学素子であり、製品部２が小さいうえに、８個取りなど複数個取りする場合でも、可動側型板１５から円滑に離型することができ、可動側型板１５内に樹脂成形品１の一部が残るのを抑制することができる。
【００４０】
また、空気吹出ノズル２１，２１および空気吹出孔４６，４６から吹き付ける空気は、除電可能でかつクリーンな空気を用いるので、成形時に金型１０内で相当帯電している樹脂成形品１を、可動側金型１２の可動側型板１５から取り出す取出機４１のチャック４５，４５に樹脂成形品１が静電気により付着して、チャック４５，４５から樹脂成形品１が離れないということを防止できる。また、帯電した樹脂成形品１にゴミやほこりが付着するのを防止できる。
【００４１】
また、取出機４１の取出チャック部４４，４４に空気吹出孔４６，４６を設けたので、各樹脂成形品１，１の近くから各樹脂成形品１，１に空気を吹き付けることができるので、効果的に各樹脂成形品１，１の除電および冷却を行うことができるとともに、構造をコンパクトにすることができる。
【００４２】
また、カメラ３１，３１を設けて、これらのカメラ３１，３１による画像を画像処理装置で分析し、固定側型板１３および可動側型板１５に樹脂成形品１の製品部２やオーバーフロー部４などが残っていないか（成形品の部分残りがあるか）を検査し、もし、残っていた場合には、型閉めのスタート指令を出さず、成形機のサイクルオーバーエラーが発報されるようにしたので、射出成形装置の自動化を図ることができる。
【００４３】
なお、前述の実施の形態では、取出機４１の取出チャック部４４，４４の空気吹出孔４６，４６により、樹脂成形品１，１の除電および冷却を行うようにしたが、空気吹出ノズル２１，２１により樹脂成形品１，１に空気を吹き付けて樹脂成形品１，１を冷却（急冷）する代わりに、この空気吹出孔４６，４６を用いて、可動側金型（金型）１２の可動側型板１５に位置する樹脂成形品１，１を冷却（急冷）しつつ、樹脂成形品１，１を可動側型板１５から突き出すようにしてもよい。このようにすると、構造をコンパクトにすることができるとともに、樹脂成形品１の近くから空気を吹き付けることができるので、効率的に吹き付けることができる。なお、この場合には、型開き後直ぐに、取出機４１の取出チャック部４４，４４を固定側金型１１と可動側金型１２の間に位置させて、空気吹出孔４６，４６から空気の吹き出しを開始するのが、作業効率を高めるために好ましい。
【００４４】
さらには、空気吹出ノズル２１，２１により樹脂成形品１，１に空気を吹き付けて樹脂成形品１，１を冷却（急冷）するのに加えて、取出機４１の取出チャック部４４，４４の空気吹出孔４６，４６により樹脂成形品１，１を冷却（急冷）するようにしてもよい。このようにすると、さらに効果的に樹脂成形品を冷却することができる。なお、この場合には、型開きとほぼ同時に、左右の空気吹出ノズル２１，２１から空気を吹き出し始めるとともに、型開き後直ぐに、取出機４１の取出チャック部４４，４４を固定側金型１１と可動側金型の間に位置させるのが、作業効率を高めるために好ましい。
【００４５】
また、前述の実施の形態では、空気吹出ノズル２１，２１を固定側金型１１の上部に設けたが、樹脂成形品に空気を吹き付けて冷却できる場所であればこれに限らず、他の場所に空気吹出ノズル（空気吹出手段）を設けてもよい。
【図面の簡単な説明】
【００４６】
【図１】本発明の実施の形態に係る樹脂成形品を示す図であって、平面図である。
【図２】同、一部を切り欠いて示す側面図である。
【図３】図１の一部拡大図である。
【図４】図２の一部拡大図である。
【図５】本発明の実施の形態に係る射出成形装置を示す図であって、金型部の側面図である。
【図６】図１のＡ−Ａ´線矢視図である。
【図７】図１のＢ−Ｂ´線矢視図である。
【図８】取出機の取出チャック部の正面図である。
【図９】取出機の取出チャック部の側面図である。
【符号の説明】
【００４７】
１    樹脂成形品（透明光学素子）
２    製品部
３    ゲート部
４    オーバーフロー部
１２    可動側金型（金型）
２１    空気吹出ノズル（空気吹付手段）
４１    取出機
４４    取出チャック部
４６    空気吹出孔（空気吹付手段）
【図１】
0005503831.tif 000002
【図２】
0005503831.tif 000003
【図３】
0005503831.tif 000004
【図４】
0005503831.tif 000005
【図５】
0005503831.tif 000006
【図６】
0005503831.tif 000007
【図７】
0005503831.tif 000008
【図８】
0005503831.tif 000009
【図９】
0005503831.tif 000010